(57)【要約】【課題】  従来設置されていた外部排水管に水洗便器装置のみを交換し適切に設置することのできる水洗便器装置を提供すること。【解決手段】  ボウル部２から外部排水管９への排水経路Ｔに、自由端とした後端４１を回動自在としたトラップ部４と、トラップ部４を収容しトラップ部４から排出される排水を外部排水管９へ導く導水ケース５とを有する水洗便器装置１である。トラップ部４の後端４１の回動範囲を、開口が封水時の略上方から排水時の略側方に向く迄と成す。ボウル部２からトラップ部４前端へ延びる排水管部３の下方に、導水ケース５と外部排水管９との間を連通させる横引き配管８を設置可能とさせる。【選択図】図１
2005273337.tif 000002
【特許請求の範囲】
【請求項１】
ボウル部から外部排水管への排水経路に、自由端とした後端を回動自在としたトラップ部と、トラップ部を収容しトラップ部から排出される排水を外部排水管へ導く導水ケースとを有する水洗便器装置であって、
前記トラップ部後端の回動範囲を、開口が封水時の略上方から排水時の略側方に向く迄と成し、前記ボウル部から同トラップ部前端へ延びる排水管部の下方に、前記導水ケースと外部排水管との間を連通させる横引き配管を設置可能とさせて成る水洗便器装置。
【請求項２】
前記導水ケースを、前記トラップ部から側方下方に向き前記横引き配管へ至る排水経路が略Ｕ字状に形成されるよう、トラップ部後端の開口が排水時に対向する周壁を膨大形状としたことを特徴とする請求項１記載の水洗便器装置。
【発明の詳細な説明】
【技術分野】
【０００１】
本発明は水洗便器装置に関し、特に、トラップ部を反転回動させることで封水と排水との切り換えを可能とした水洗便器装置に関するものである。
【背景技術】
【０００２】
従来、ボウル部から外部排水管への排水経路となるボウル部から延びる排水路にトラップ部を配設した水洗便器装置として、節水・静音洗浄を可能としたもので、そのトラップ部を、自由端とした後端が上下に反転自在となるようにし、同トラップ部を外部排水管に連通する導水ケース内に収容させたものが知られている。
【０００３】
このような水洗便器装置にあっては、トラップ部の自由端とした後端を上下に反転するための電動のトラップ駆動手段が設けられ、トラップ部から排水するときボウル部に給水する給水管路が設けられ、洗浄スイッチがオンになるとこの給水管路の給水弁がオンになってボウル部への給水を行い、電動のトラップ駆動手段が駆動してトラップ部の自由端となった後端が下方に回動して排水をし、その後、トラップ駆動手段が駆動してトラップ部の自由端となった後端を上方に回動して封水をし、その後、ボウル部内に水を溜めて給水弁がオフとなるようしている。
【０００４】
ところで、上記構成によるものは、トラップ駆動手段を電動させるため、停電への対応を考慮する必要があり、また、トイレ内に商用電源のような電源を必要とするという点において設置上の制約がある。したがって、新築や改築等の場合は特に問題は無いが、例えば、商用電源の無い場合に従来設置されていた水洗便器装置のみを交換し容易に設置することができない。
【０００５】
そのため、洗浄水の水圧を利用して駆動ができて、商用電源のような電源を必要としないと共に停電も考慮に入れる必要もない、節水・静音洗浄を可能とした水洗便器装置の技術が要望されており、本出願人は、特開２００２−１７３９７１号公報に開示されている、図４に示す水洗便器装置１００を提案している。
【０００６】
この水洗便器装置１００は、ボウル部１０２から延びる排水路１０３にトラップ部１０４を配設した水洗便器であって、トラップ部１０４は自由端とした後端が上下に反転回動自在になり、このトラップ部１０４を外部排水管１０１に連通するケース１０５内に収容し、トラップ部１０４から排水するときボウル部１０２に給水する給水管路を設けた水洗便器装置１００において、トラップ部１０４の自由端とした後端を上下に反転するために回転駆動される回転軸１０６に従動プーリ１０７を連結し、給水管路の途中にボウル部１０２に給水する水流で回転する水流モータ１０８を配設すると共に水流モータ１０８の回転にて駆動される駆動プーリ（図示せず）を設け、上記従動プーリ１０７とこの駆動プーリとの間に伝達ワイヤ１０９を架設して成るものである。
【０００７】
この場合、ボウル部１０２を洗浄するために給水管路からボウル部１０２に洗浄水を給水するとき、この洗浄水の圧力にて水流モータ１０８が駆動され、水流モータ１０８の回転にて駆動プーリが駆動され、伝達ワイヤ１０９、従動プーリ１０７を介して回転軸１０６が回転駆動されてトラップ部１０４が駆動される。そのため、洗浄水の水圧を利用してトラップ部１０４を駆動できて商用電源のような電源を必要としないと共に、停電を考慮に入れる必要もない。
【０００８】
しかしながら、上記構成によるものは、商用電源のような電源を必要としないと共に停電も考慮に入れる必要もない水洗便器装置の技術であり、水洗便器装置のみを交換し従来設置されていた外部排水管に適切に設置できないという問題があった。
【特許文献１】特開２００２−１７３９７１号公報
【発明の開示】
【発明が解決しようとする課題】
【０００９】
本願発明は、上記背景技術に鑑みてなされたものであり、その課題は、従来設置されていた外部排水管に水洗便器装置のみを交換し適切に設置することのできる水洗便器装置を提供することである。
【課題を解決するための手段】
【００１０】
上記課題を解決するために、本願発明の水洗便器装置は、ボウル部から外部排水管への排水経路に、自由端とした後端を回動自在としたトラップ部と、トラップ部を収容しトラップ部から排出される排水を外部排水管へ導く導水ケースとを有する水洗便器装置であって、前記トラップ部後端の回動範囲を、開口が封水時の略上方から排水時の略側方に向く迄と成し、前記ボウル部から同トラップ部前端へ延びる排水管部の下方に、前記導水ケースと外部排水管との間を連通させる横引き配管を設置可能とさせて成ることとしている。
【００１１】
そして、前記導水ケースを、前記トラップ部から側方下方に向き前記横引き配管へ至る排水経路が略Ｕ字状に形成されるよう、トラップ部後端の開口が排水時に対向する周壁を膨大形状とさせることが好ましい。
【発明の効果】
【００１２】
本願発明の水洗便器装置においては、ボウル部から、その後端の回動範囲を開口が封水時の略上方から排水時の略側方に向く迄と成したトラップ部の前端へ延びる排水管部の下方に、外部排水管と、該トラップ部を収容し、それから排出される排水を外部排水管へ導く導水ケースとの間を連通させる横引き配管が設置されるので、従来設置されていた外部排水管に水洗便器装置のみを交換し適切に設置することができる。
【００１３】
また、略上方の封水状態から回動されて開口が略側方に向いたトラップ部後端の開口からの排水が、排水時に対向する膨大形状をもった周壁に当たって導水ケース側方から下方へ略Ｕ字状の排水経路に沿って導水されるようになるため、より円滑に排水させることができる。
【発明を実施するための最良の形態】
【００１４】
図１〜３は、本願の請求項１、２に対応した一実施形態である水洗便器装置を示している。この実施形態の水洗便器装置１は、背景技術の項にて説明した、ボウル部２から外部排水管９への排水経路Ｔに、自由端とした後端を回動自在としたトラップ部４と、トラップ部４を収容しトラップ部４から排出される排水を外部排水管９へ導く導水ケース５とを有する、トラップ部を反転回動させることで封水と排水との切り換えをおこない節水・静音洗浄を可能とした水洗便器装置で、図１、２の概略説明のための側面図に示す如く、前記トラップ部４の後端４１の回動範囲を、開口が封水時の略上方から排水時の略側方に向く迄と成し、前記ボウル部２から同トラップ部４前端へ延びる排水管部３の下方に、前記導水ケース５と外部排水管９との間を連通させる横引き配管８を設置可能とさせている。
【００１５】
この場合、前記導水ケース５を、前記トラップ部４から側方下方に向き前記横引き配管８へ至る排水経路Ｔが略Ｕ字状に形成されるよう、トラップ部４の後端４１の開口が排水時に対向する周壁５３を膨大形状としてもいる。
【００１６】
詳しくは、水洗便器装置１は、上方が開口となったボウル部２が形成してあり、さらに水洗便器装置１の後部の内部には収納空所部１０が設けてあり、この収納空所部１０内に導水ケース５が内装してある。トラップ部４は、軟質塩化ビニル樹脂等の可とう性を有する軟質の合成樹脂材料による蛇腹状管体にて形成され、このトラップ部４前端の前側接続部がボウル部２の後端部に形成されたボウル排出口となる排水管部３に嵌め込んで接続してある。
【００１７】
導水ケース５は、合成樹脂製のケース本体５１と蓋体５２とが一体化されて形成され、ケース本体５１は、トラップ部４の後端４１の開口が排水時に対向する周壁５３がその後部となり、また、その前上部に後述するトラップ部４の導入口５４と、前下部に横引き配管８の接続開口５５とが設けてある。
【００１８】
このケース本体５１には、図１において奥側及び手前側となる取り付け穴に、トラップ部４を回動自在且つ上方から側方まで回動自在となるよう挿入して取り付けてあり、トラップ部４の大部分は、導水ケース５の下側に配置される。この場合、トラップ部４の後端４１の開口が排水時に対向する周壁５３は、排水時にトラップ部４後端が略側方に向いたときに汚水が直接導水ケース５に当たらないよう、図２に示すように１５ｍｍ程度の空間を持つように膨大形状としてある。
【００１９】
詳しくは、この空間は、ＪＩＳ（日本工業規格）  Ａ  ５２０７  に定められているφ５３ｍｍの寸法をもった木球Ａを通過させることが可能となるようｄ＝１５ｍｍ程度以上のスキマをもって、さらに、Ｒ＝７８ｍｍ程度の曲率をもった円弧状として、当該導水ケース５に汚物が滞留しにくいように形成させている。
【００２０】
導水ケース５内に設けられたトラップ部４は、図示していない駆動手段にてトラップ部４の自由端とした後端４１が上下方向に上方から側方までを回動範囲として反転自在に回動されるようになっている。この場合、トラップ部４は、導水ケース５に回転自在に取り付けた回転体４２はトラップ部４の後端４１に連結してあり、また回転体４２は回転軸４３にて回転駆動されるように回転軸４３に連結してある。従って、回転軸４３を一方向に回転すると、トラップ部４の自由端とした後端４１が、図１に示すような上向きから、図２に示すような横向きになる迄回動し、また、これとは逆方向に回転するとトラップ部４の自由端とした後端４１が上向きになるように回動する。なお、このトラップ部４は、後端４１が上向きとなる位置まで回転するようにばねまたは錘で付勢することが好ましい。
【００２１】
ケース本体５１の前下部の接続開口５５は、横引き配管８を設けるための排出穴であり、横引き配管８の一端を接続してある。この横引き配管８の他端は、この水洗便器装置１の設置床面において立上げ設置されている外部排水管９と、９０度エルボ８１を介して接続される。このようにして、ボウル部２の下方開口となる排水管部３、トラップ部４、導水ケース５、横引き配管８及び外部排水管９へ至る排水経路Ｔを略Ｕ字状に構成してある。
【００２２】
ボウル部２の後上部には制御部６を設けてあり、この制御部６内にボウル部２に給水する給水管路を配置し、その給水管路の途中には、給水の開閉操作をするための電磁式の給水弁が設けてあり、またこの給水管路の先端部がボウル部２の上方開口縁部に形成された通水用のリム部と連通し、他端部を水道管に接続するようにしてある。上記給水弁、及び前述の回転軸４３を駆動させるモータは、この制御部６に設けられた制御回路に電気的に接続されて動作制御するようになっており、さらにボウル部２前上部の蓋体７が、この制御部６にて自動的に開閉させる開閉手段を制御するようになっている。
【００２３】
以上の構成を有する水洗便器装置１は、ボウル部２から、その後端４１の回動範囲を開口が封水時の略上方から排水時の略側方に向く迄と成したトラップ部４の前端へ延びる排水管部３の下方に、外部排水管９と、該トラップ部４を収容し、それから排出される排水を外部排水管９へ導く導水ケース５との間を連通させる横引き配管８が設けられ、従来設置されていた外部排水管９と導水ケース５の接続開口５５とが、横引き配管８を介して接続させ設置することができる。
【００２４】
そして、使用にあたっては、通常の封水時は、トラップ部４の自由端の開口が上方を向いて配置され、図１に示すように、ボウル部２の内部にこの自由端までの高さ（給水ライン）に水が溜められて封水されている。また、用便後において、適宜設けられているスイッチ等を介して排出動作指示が入力されると、上記給水弁が開動作し、ここを通じてボウル部２内に洗浄水が供給される。その後、上記モータが動作して回転軸４３が駆動回転されてトラップ部４の自由端を下方に回転させる。
【００２５】
このトラップ部４の自由端の回転にともなって、図３に示すように開口が封水時の略上方から排水時の略側方に向くと、略上方の封水状態から回動されて開口が略側方に向いたトラップ部４後端の開口からの排水が、排水時に対向する膨大形状をもった周壁５３に当たって導水ケース５側方から下方へ略Ｕ字状の排水経路Ｔに沿って導水されて、ボウル部２内の汚物が洗浄水とともに外部排水管９に向かって流出して便器外に排出されるのである。
【００２６】
汚物が完全に排出された後には、上記モータにより回転軸４３が逆回転し、トラップ部４を反転させて初期状態に戻し、再び、ボウル部２の内部に給水ラインまで貯水して封水する。そして、給水弁が閉動作する。このようにして従来の水洗便器のような、汚物排出時に汚物の排出に直接関与しない、サイフォン作用を起こすためのみに使用される洗浄水を必要としない、節水・静音洗浄を可能とするのである。
【００２７】
したがって、以上説明した水洗便器装置１によると、ボウル部２から、その後端４１の回動範囲を開口が封水時の略上方から排水時の略側方に向く迄と成したトラップ部４の前端へ延びる排水管部３の下方に、外部排水管９と、該トラップ部４を収容し、それから排出される排水を外部排水管９へ導く導水ケース５との間を連通させる横引き配管８が設置されるので、従来設置されていた外部排水管９に水洗便器装置１のみを交換し適切に設置することができる。
【００２８】
また、略上方の封水状態から回動されて開口が略側方に向いたトラップ部４の後端４１の開口からの排水が、排水時に対向する膨大形状をもった周壁５３に当たって導水ケース５側方から下方へ略Ｕ字状の排水経路に沿って導水されるようになるため、より円滑に排水させることができる。
【図面の簡単な説明】
【００２９】
【図１】本願発明の一実施形態である水洗便器装置の概略構成を示す側面からみた状態の説明図。
【図２】同水洗便器装置の要部である、導水ケースを示す説明図。
【図３】同水洗便器装置の排水状態を示す説明図。
【図４】従来例である水洗便器装置の全体を示す概略構成図。
【符号の説明】
【００３０】
１      水洗便器装置
２      ボウル部
３      排水管部
４      トラップ部
４１      後端
５      導水ケース
８      横引き配管
９      外部排水管
Ｔ      排水経路
【図１】
2005273337.tif 000003
【図２】
2005273337.tif 000004
【図３】
2005273337.tif 000005
【図４】
2005273337.tif 000006